(57)【要約】【課題】経緯線材を織成した基材をラミネート加工したシートは、破線による切れ目を入れても、線材が強く、手などで容易に切ることができない。【解決手段】本発明に係る開口予定部を備えたシートは、経線材(1)と緯線材(2)を織成した基材(3)をラミネート加工したシート材(4)に植物を植え込むための開口予定部(5)を備えている。該開口予定部(5)は一対の内側破線(6a)と外側破線(6b)で区画されている。該内側破線(6a)と該外側破線(6b)はそれぞれ該経線材(1)及び／又は該緯線材(2)の切断部(7a,7b)と非切断部(8a,8b)が交互に整列したものである。そして、該一対の内側破線(6a)と該外側破線(6b)は、該両破線に挟まれた内側でシート材(4)の該経線材(1)と該緯線材(2)が切断されるように、破線の長さや間隔を設定されている。【選択図】  図１
2014217279.tif 000002
【特許請求の範囲】
【請求項１】
経線材(1)と緯線材(2)を織成した基材(3)をラミネート加工したシート材(4)に植物を植え込むための開口予定部(5)を備え、
該開口予定部(5)は一対の内側破線(6a)と外側破線(6b)で区画されており、
該内側破線(6a)と該外側破線(6b)はそれぞれ該経線材(1)及び／又は該緯線材(2)の切断部(7a,7b)と非切断部(8a,8b)が交互に整列したもので、
該一対の内側破線(6a)と該外側破線(6b)は、該両破線に挟まれた内側で該シート材(4)の該経線材(1)と該緯線材(2)が切断されるように、破線の長さや間隔を設定されている
ことを特徴とする開口予定部を備えたシート。
【請求項２】
該開口予定部(5)を細長い長方形にしてその中心部から直角にスリット(22)を入れ、十字形状に開口できるようにしている請求項１に記載の開口予定部を備えたシート。
【請求項３】
該開口予定部(5)は菱形となっている請求項１又は２に記載の開口予定部を備えたシート。
【請求項４】
該破線の形状は直線でなく、くの字(31)や円弧(32)の形状となっている請求項１、２又は３に記載の開口予定部を備えたシート。
【請求項５】
該開口予定部(5)の端部に切取り用つまみ(41)がつけられている請求項１、２、３又は４に記載の開口予定部を備えたシート。
【請求項６】
請求項１から５に記載のシートを用いて構成した該開口予定部(5)を備えたマルチング用シート。
【請求項７】
請求項１から５に記載のシートを用いて構成した該開口予定部(5)を備えた植栽用袋。
【発明の詳細な説明】
【技術分野】
【０００１】
本発明は、植栽用開口予定部を備えたシートにかかり、経緯の線材を織成してラミネート加工したシート材に植栽用開口予定部を設けたものである。
【背景技術】
【０００２】
樹脂シートは耐候性があるため、植栽用のマルチング材や植栽用袋の素材として利用されている。この素材は線材を内包していないので破れやすい欠点がある反面、刃物で簡単に切断して植栽に必要な開口を提供できる利点はある。
【０００３】
この樹脂シートを採用した植栽袋として、本件出願人等が先に出願したもので、不透水性の一面シート(1)と他面シート(2)を一体化して袋を構成し、一面シート(1)に植穴開口部(8)を設けたものがある（特許文献１）。
【０００４】
また、四角形の不織布シートからなる防草シート部(5)の中央部分に苗(4)の上部側を通すための挿通部である切込み(5a)を、例えば十字状に開けた構成も知られている（特許文献２）。
【先行技術文献】
【特許文献】
【０００５】
【特許文献１】特開２００６−１０１８２０号公報；段落００３３の１〜６行、００３５、図１等
【特許文献２】特開２０１０−４５９８８号公報；段落０００８、００１４の１１〜１２行、図２、図５、図１３等
【発明の概要】
【発明が解決しようとする課題】
【０００６】
紙などは適度な破線（切り取り線）を入れることにより、はさみがなくても容易に切断が可能である。経緯線材を織成した基材をラミネート加工したシートは、破線による切れ目を入れても、線材が強く、手などで容易に切ることができない。緑化造園用のマルチング材や植栽用の袋の素材に利用されているフラットヤーンクロスにラミネートしたシート（ラミネートクロスシート）では、破線を入れても、破線の入っていない部分の繊維が切断されず、１本でも切断されない繊維が残るシートは容易に切断できなくなり、はさみやカッターナイフなどの道具が必要となる。
【０００７】
マルチング材では、所定の位置の植物を植付けるため、現地でカッターナイフなどを用いて植栽用開口穴をカットしなければならないが、所定の位置に採寸をして植栽用開口穴を開けることは容易でない。また、シートに初めから穴を開けておくと、植物の種類により植栽密度が異なるため、植栽しない穴が残り、その穴から雑草が生えたりする。従って、一般的には穴のないシートを利用して現地で植栽用開口穴を開削する。
【０００８】
特許文献１や特許文献２に示された培土入りの植栽用袋では、予め植栽開口穴を開けたり、それ用の切込みを設けておくと、培土を充填したときにその土圧により培土が開口穴を通って外部へ漏れ出すことがある。そのため、植栽に必要な大きさの開口穴を設けたり、そのための切込みを設けておくことはできない。
【課題を解決するための手段】
【０００９】
（請求項１）本発明に係る開口予定部を備えたシートは、経線材と緯線材を織成した基材をラミネート加工したシート材に植物を植え込むための開口予定部を備えている。該開口予定部は一対の内側破線と外側破線で区画さている。該内側破線と該外側破線はそれぞれ該経線材及び／又は該緯線材の切断部と非切断部が交互に整列したものである。そして、該一対の内側破線と該外側破線は、該両破線に挟まれた内側でシートの該経線材と該緯線材が切断されるように、破線の長さや間隔を設定されている。
【００１０】
この設定により、内側と外側のシートはラミネート部分を介して繋がっている。つまり、ラミネートの強度とラミネートと線材の接着力により繋がっていることとなり、切断が容易となる。
【００１１】
（請求項２）該開口予定部を細長い長方形にしてその中心部から直角にスリットを入れ、十字形状に開口できるようにしてもよい。
こうすると、開口部が大きくなり、植物のポット苗等が植えやすい。
【００１２】
（請求項３）該開口予定部は菱形となっていてもよい。
こうすると、株立ちの植物を植えるときに都合がよい。
【００１３】
（請求項４）該破線の形状は直線でなく、くの字や円弧の形状となっていてもよい。
こうすると、経線材や緯線材がどの方向に向いていても切断ができ、例えば円形の開口部も容易に可能となる。
【００１４】
（請求項５）該開口予定部の端部に切取り用つまみをつけてもよい。
こうすると、開削時のつまみとなり、このつまみを指でつまむことにより、容易に切断開口ができる。  
【００１５】
（請求項６）マルチング用シートを請求項１から５に記載のシートを用いて構成する。
このマルチング用シートによれば、シート材の強度が大なので粗雑な取扱いを受けても破れたりせず、植物を植付けるための開口は塞がっているので、シート材に初めから穴を開けておいた場合に起こる問題、例えば、植物の種類により植栽密度が異なるため、植栽しない穴ができるとその穴から雑草が生えたりすること、を解消できる。しかも、この開口予定部は手で簡単に破断できるため、カッター等による面倒な切断作業も不要である。
【００１６】
（請求項７）栽用袋を請求項１から５に記載のシートを用いて構成する。
この植栽用袋によれば、シート材の強度が大なので粗雑な取扱いを受けても破れたりせず、植物を植付けるための開口は塞がっているので、シート材に初めから穴を開けておいた場合に起こる問題、例えば、充填された培土がその土圧により外部へ漏れだすことがなく、植物の植え込みに際してはこの開口予定部を手で簡単に破断できるため、カッター等による面倒な切断作業も不要である。
【発明の効果】
【００１７】
（請求項１）本発明にかかるシートによれば、一対の内側破線と外側破線で、両破線に挟まれた内側でシートの経線材と緯線材を、切断されるように破線の長さ、間隔等を設定されているので、内側と外側のシートはラミネート部分を介してラミネートの強度とラミネートと線材の接着力により繋がっていることとなり、切断が容易となる。
【００１８】
請求項２によれば、開口部が大きくなり、植物のポット苗等が植えやすい。
【００１９】
請求項３によれば、株立ちの植物を植えるときに都合がよい。
【００２０】
請求項４によれば、経線材や緯線材がどの方向に向いていても切断ができ、例えば円形の開口部も容易に可能となる。
【００２１】
請求項５によれば、開削時のつまみとなり、このつまみを指でつまむことにより、容易に切断開口ができる。
【００２２】
請求項６のマルチング用シートによれば、シート材の強度が大なので粗雑な取扱いを受けても破れたりせず、植物を植付けるための開口は塞がっているので、植栽しない穴から雑草が生えたりすることがなく、この開口予定部は手で簡単に破断できるため、カッター等による面倒な切断作業も不要である。
【００２３】
請求項７の植栽用袋によれば、シート材の強度が大なので粗雑な取扱いを受けても破れたりせず、充填された培土がその土圧により外部へ漏れだすことがなく、植物の植え込みに際してはこの開口予定部を手で簡単に破断できるため、カッター等による面倒な切断作業も不要である。
【図面の簡単な説明】
【００２４】
【図１】本発明にかかるシートの具体例を示す正面図である。
【図２】別の形態のシートの正面図である。
【図３】経緯の線材を織った基材の一部を示す正面図である。
【図４】開口予定部が長口の場合を示す平面図である。
【図５】開口予定部が菱形口の場合を示す平面図である。
【図６】内側破線と外側破線がくの字の場合を示す概略図である。
【図７】内側破線と外側破線が円弧の場合を示す概略図である。
【図８】開口予定部が楕円形で円弧形状の破線を利用した場合を示す平面図である。
【図９】植栽袋の具体例を示す正面図である。
【図１０】同  一部切断背面図である。
【発明を実施するための形態】
【００２５】
（請求項１）図１〜図３で、本発明に係るシートの具体例は、経線材１と緯線材２を織成した基材３をラミネート加工したシート材４に植物を植え込むための開口予定部５を備えている。この開口予定部５は、図４〜８に示すように、一対の内側破線６ａと外側破線６ｂで区画されている。内側破線６ａと外側破線６ｂはそれぞれ経線材１及び／又は緯線材２の切断部７ａ、７ｂと非切断部８ａ、８ｂが交互に整列したものである。そして、これら一対の内側破線６ａと外側破線６ｂは、両破線に挟まれた内側でシート材４の経線材１と緯線材２が切断されるように、破線の長さや間隔が設定されている。
この設定により、内側と外側のシートはラミネート部分を介してのみ繋がっていることになり、ラミネートの強度とラミネートと線材の接着力により繋がっているだけなので、切断が容易となる。
【００２６】
（請求項２）図４に示すように、開口予定部５を細長い長方形２１にしてその中心部から直角にスリット２２を入れ、十字形状に開口できるようにしてある。
この場合、開口部が大きくなり、植物のポット苗等が植えやすい。
【００２７】
（請求項３）図５に示すように、開口予定部５は菱形３１となっている。
この場合、株立ちの植物を植えるときに都合がよい。
【００２８】
（請求項４）図６や７に示すように、破線の形状は直線でなく、くの字４１や円弧４２の形状となっていてもよい。
この場合、経線材や緯線材がどの方向に向いていても切断ができ、例えば図８に示すように円形の開口部も容易に可能となる。
【００２９】
（請求項５）図４に示すように、開口予定部５の端部に切取り用つまみ５１をつけてもよい。
この場合、開削時のつまみとなり、このつまみ５１を指でつまむことにより、容易に切断開口ができる。
【００３０】
（請求項６）マルチング用シートを請求項１から５に記載のシートを用いて構成する。
この場合、図１に示すように、シート材４から任意の長さＬ１を切り取ってマルチング用シート６１とする。シート材４の強度が大なので粗雑な取扱いを受けても破れたりせず、植物を植付けるための開口は塞がっているので、シート材４に初めから穴を開けておいた場合に起こる問題、例えば、植物の種類により植栽密度が異なるため、植栽しない穴ができるとその穴から雑草が生えたりすること、を解消できる。しかも、この開口予定部５は手で簡単に破断できるため、カッター等による面倒な切断作業も不要である。
【００３１】
（請求項７）植栽用袋を請求項１から５に記載のシートを用いて構成する。
この場合、図２に示すように、開口予定部５を含む長さＬ２をシート材４から切り取って植栽用袋７１の主材７２とする。この主材７２に当て材７３を、充填口７４を残して、一体化し、袋とする。はシート材４の強度が大なので粗雑な取扱いを受けても破れたりせず、植物を植付けるための開口は塞がっているので、充填された培土Ｍがその土圧により外部へ漏れだすことがなく、植物の植え込みに際してはこの開口予定部５を手で簡単に破断できるため、カッター等による面倒な切断作業も不要である。
【００３２】
なお、図１０で、Ｃは透根用の切れ目である。
【符号の説明】
【００３３】
１      経線材
２      緯線材
３      基材
４      シート材
５      開口予定部
６ａ    内側破線
６ｂ    外側破線
７ａ、７ｂ    切断部
８ａ、８ｂ    非切断部
２１    長方形
２２    スリット
３１    菱形
４１    くの字
４２    円弧
５１    つまみ
６１    マルチング用シート
７１    植栽用袋
７２    主材
７３    当て材
７４    充填口
【図１】
2014217279.tif 000003
【図２】
2014217279.tif 000004
【図３】
2014217279.tif 000005
【図４】
2014217279.tif 000006
【図５】
2014217279.tif 000007
【図６】
2014217279.tif 000008
【図７】
2014217279.tif 000009
【図８】
2014217279.tif 000010
【図９】
2014217279.tif 000011
【図１０】
2014217279.tif 000012